(57)【要約】【課題】かかりつき縫合糸を保持するように構成される縫合糸パッケージを提供すること。【解決手段】縫合糸パッケージは、外壁を有し、縫合糸保持領域を含む、ベース部材と、少なくとも１つの縫合糸針を受容する、縫合糸保持領域に隣接して位置を決められる少なくとも１つの針保持装置と、少なくとも１つの縫合糸の遠位端を受容する、縫合糸保持領域に隣接して位置を決められる少なくとも１つの縫合糸保持装置と、縫合糸保持領域内に形成される複数の隆起部分であって、この場合、隆起部分の各々は、少なくとも１つの縫合糸の一部分を受容する溝を隆起部分に含む、複数の隆起部分とを含む。【選択図】図１
2010131397.tif 000002
【特許請求の範囲】
【請求項１】
外壁を有し、縫合糸保持領域を含む、ベース部材と、
少なくとも１つの縫合糸針を受容する、該縫合糸保持領域に隣接して位置を決められる少なくとも１つの針保持装置と、
少なくとも１つの縫合糸の遠位端を受容する、該縫合糸保持領域に隣接して位置を決められる少なくとも１つの縫合糸保持装置と、
該縫合糸保持領域内に形成される複数の隆起部分であって、該隆起部分の各々は、少なくとも１つの縫合糸の一部分を受容する溝を含む、複数の隆起部分と
を備えている、縫合糸パッケージ。
【請求項２】
前記隆起部分の各々における前記溝は、該隆起部分の外壁に面している表面に形成される、請求項１に記載の縫合糸パッケージ。
【請求項３】
前記隆起部分の各々における前記溝は、該隆起部分の周りに少なくとも部分的に延びる、請求項１に記載の縫合糸パッケージ。
【請求項４】
前記少なくとも１つの針保持装置は、フォームストリップを含む、請求項１に記載の縫合糸パッケージ。
【請求項５】
前記少なくとも１つの縫合糸保持装置は、フォームストリップを含む、請求項１に記載の縫合糸パッケージ。
【請求項６】
前記フォームストリップは、縫合糸端部エフェクタを受容するように構成される、請求項５に記載の縫合糸パッケージ。
【請求項７】
前記隆起部分は、前記ベース部材の前記外壁に対して斜めに配置される、請求項１に記載の縫合糸パッケージ。
【請求項８】
前記縫合糸は、かかりつき縫合糸である、請求項１に記載の縫合糸パッケージ。
【請求項９】
少なくとも５個の隆起部分を含む、請求項１に記載の縫合糸パッケージ。
【請求項１０】
前記外壁は、カバーと解放可能に係合する内側に面している複数のタブを含む、請求項１に記載の縫合糸パッケージ。
【請求項１１】
外壁を有し、縫合糸保持領域を含む、ベース部材と、
複数の縫合糸針を受容する、該縫合糸保持領域に隣接して位置を決められる針保持装置と、
該縫合糸保持領域に隣接して位置を決められる複数の縫合糸保持手段であって、該縫合糸保持手段の各々は、縫合糸の遠位端を受容するように構成される、複数の縫合糸保持手段と、
該縫合糸保持領域内に形成される、長手方向に間隔をあけて配置され、横にずれた２対以上の隆起部分であって、該隆起部分は、該隆起部分の周りに縫合糸を受容するように構成され、該隆起部分の各々は、縫合糸と選択可能に係合する溝を含む、隆起部分と
を備えている、縫合糸パッケージ。
【請求項１２】
前記隆起部分の各々における前記溝は、該隆起部分の長手方向に外側に面している表面に形成される、請求項１１に記載の縫合糸パッケージ。
【請求項１３】
前記隆起部分の各々における前記溝は、該隆起部分の周りに少なくとも部分的に延びる、請求項１１に記載の縫合糸パッケージ。
【請求項１４】
前記少なくとも１つの針保持装置は、フォームストリップを含む、請求項１１に記載の縫合糸パッケージ。
【請求項１５】
前記少なくとも１つの縫合糸保持装置は、フォームストリップを含む、請求項１１に記載の縫合糸パッケージ。
【請求項１６】
前記外壁は、１つ以上のカバー部材と解放可能に係合する内側に面している複数のタブを含む、請求項１１に記載の縫合糸パッケージ。
【発明の詳細な説明】
【技術分野】
【０００１】
（背景）
（技術分野）
本開示は、縫合糸のためのパッケージングに関する。より詳細には、本開示は、かかりつき縫合糸を受容するための縫合糸パッケージに関する。
【背景技術】
【０００２】
（関連技術の背景）
縫合糸および縫合糸を保持するためのパッケージは、当該技術において公知である。縫合糸パッケージは、紙から構成され、その中に１つ以上の縫合糸を受容するポケットを形成するように構成される折り畳み可能なタイプであり得る。あるいは、縫合糸パッケージは、成形された種類であり得る。そのようなパッケージは、典型的には１つ以上の縫合糸をチャネルに受容するチャネルを画定する。
【０００３】
かかりつき縫合糸のパッケージングは、当該分野においてそれほど周知ではない。かかりつき縫合糸のパッケージングは、縫合糸の構成によって複雑にされる。複数の縫合糸のパッケージングまたはその縫合糸の重ね合わせの長さに関連する通常の問題、すなわち縫合糸の絡みの他に、かかりつき縫合糸の長さに沿って形成されるかかりは、縫合糸がそれ自身または他のかかり縫合糸に絡まり得る可能性を増加させる。縫合糸をほどきながら、過度の力がかかりに加えられると、縫合糸に形成されたかかりの損傷という結果になり得、それによって縫合糸の有効性を低減させ得る。
【発明の概要】
【発明が解決しようとする課題】
【０００４】
従って、縫合糸が絡まないように１つ以上のかかりつき縫合糸を保持するように縫合糸パッケージを構成することが有益である。かかりが平らになったりまたは損傷されたりするのを防ぐように縫合糸パッケージが構成されればさらに有益である。
【課題を解決するための手段】
【０００５】
（概要）
従って、１つ以上のかかりつき縫合糸を保持するように構成される縫合糸パッケージが提供される。縫合糸パッケージは、外壁を有し、縫合糸保持領域を含む、ベース部材と、少なくとも１つの縫合糸針を受容する、縫合糸保持領域に隣接して位置を決められる少なくとも１つの針保持装置と、少なくとも１つの縫合糸の遠位端を受容する、縫合糸保持領域に隣接して位置を決められる少なくとも１つの縫合糸保持装置と、縫合糸保持領域内に形成される複数の隆起部分であって、隆起部分の各々は、少なくとも１つの縫合糸の一部分を受容する溝を隆起部分に含む、複数の隆起部分とを含む。
【０００６】
隆起部分の各々における溝は、隆起部分の外壁に面している表面に形成され得る。隆起部分の各々における溝は、隆起部分の周りに少なくとも部分的に延び得る。少なくとも１つの針保持装置は、フォームストリップを含み得る。少なくとも１つの縫合糸保持装置は、フォームストリップを含み得る。フォームストリップは、縫合糸端部エフェクタを受容するように構成され得る。隆起部分は、ベース部材の外壁に対して斜めに配置され得る。縫合糸は、かかりつき縫合糸であり得る。縫合糸パッケージは、少なくとも５個の隆起部分を含み得る。縫合糸パッケージの外壁は、カバーと解放可能に係合する内側に面している複数のタブを含み得る。
【０００７】
１つ以上のかかりつき縫合糸を保持するように構成される縫合糸パッケージの代替の実施形態がまた提供される。縫合糸パッケージは、外壁を有し、縫合糸保持領域を含む、ベース部材と、複数の縫合糸針を受容する、縫合糸保持領域に隣接して位置を決められる針保持装置と、縫合糸保持領域に隣接して位置を決められる複数の縫合糸保持手段であって、縫合糸保持手段の各々は、縫合糸の遠位端を受容するように構成される、複数の縫合糸保持手段と、縫合糸保持領域内に形成される、長手方向に間隔をあけて配置され、横にずれた２対以上の隆起部分であって、隆起部分は、隆起部分の周りに縫合糸を受容するように構成され、隆起部分の各々は、縫合糸と選択可能に係合する溝を含む、隆起部分とを含む。
【０００８】
隆起部分の各々における溝は、隆起部分の長手方向に外側に面している表面に形成され得る。隆起部分の各々における溝は、隆起部分の周りに少なくとも部分的に延び得る。少なくとも１つの針保持装置は、フォームストリップを含み得る。少なくとも１つの縫合糸保持装置は、フォームストリップを含み得る。外壁は、１つ以上のカバー部材と解放可能に係合する内側に面している複数のタブを含み得る。
【０００９】
本発明は、さらに以下の手段を提供する。
【００１０】
（項目１）
外壁を有し、縫合糸保持領域を含む、ベース部材と、
少なくとも１つの縫合糸針を受容する、該縫合糸保持領域に隣接して位置を決められる少なくとも１つの針保持装置と、
少なくとも１つの縫合糸の遠位端を受容する、該縫合糸保持領域に隣接して位置を決められる少なくとも１つの縫合糸保持装置と、
該縫合糸保持領域内に形成される複数の隆起部分であって、該隆起部分の各々は、少なくとも１つの縫合糸の一部分を受容する溝を含む、複数の隆起部分と
を備えている、縫合糸パッケージ。
【００１１】
（項目２）
上記隆起部分の各々における上記溝は、該隆起部分の外壁に面している表面に形成される、上記項目に記載の縫合糸パッケージ。
【００１２】
（項目３）
上記隆起部分の各々における上記溝は、該隆起部分の周りに少なくとも部分的に延びる、上記項目のいずれか１項に記載の縫合糸パッケージ。
【００１３】
（項目４）
上記少なくとも１つの針保持装置は、フォームストリップを含む、上記項目のいずれか１項に記載の縫合糸パッケージ。
【００１４】
（項目５）
上記少なくとも１つの縫合糸保持装置は、フォームストリップを含む、上記項目のいずれか１項に記載の縫合糸パッケージ。
【００１５】
（項目６）
上記フォームストリップは、縫合糸端部エフェクタを受容するように構成される、上記項目のいずれか１項に記載の縫合糸パッケージ。
【００１６】
（項目７）
上記隆起部分は、上記ベース部材の上記外壁に対して斜めに配置される、上記項目のいずれか１項に記載の縫合糸パッケージ。
【００１７】
（項目８）
上記縫合糸は、かかりつき縫合糸である、上記項目のいずれか１項に記載の縫合糸パッケージ。
【００１８】
（項目９）
少なくとも５個の隆起部分を含む、上記項目のいずれか１項に記載の縫合糸パッケージ。
【００１９】
（項目１０）
上記外壁は、カバーと解放可能に係合する内側に面している複数のタブを含む、上記項目のいずれか１項に記載の縫合糸パッケージ。
【００２０】
（項目１１）
外壁を有し、縫合糸保持領域を含む、ベース部材と、
複数の縫合糸針を受容する、該縫合糸保持領域に隣接して位置を決められる針保持装置と、
該縫合糸保持領域に隣接して位置を決められる複数の縫合糸保持手段であって、該縫合糸保持手段の各々は、縫合糸の遠位端を受容するように構成される、複数の縫合糸保持手段と、
該縫合糸保持領域内に形成される、長手方向に間隔をあけて配置され、横にずれた２対以上の隆起部分であって、該隆起部分は、該隆起部分の周りに縫合糸を受容するように構成され、該隆起部分の各々は、縫合糸と選択可能に係合する溝を含む、隆起部分と
を備えている、縫合糸パッケージ。
【００２１】
（項目１２）
上記隆起部分の各々における上記溝は、該隆起部分の長手方向に外側に面している表面に形成される、上記項目のいずれか１項に記載の縫合糸パッケージ。
【００２２】
（項目１３）
上記隆起部分の各々における上記溝は、該隆起部分の周りに少なくとも部分的に延びる、上記項目のいずれか１項に記載の縫合糸パッケージ。
【００２３】
（項目１４）
上記少なくとも１つの針保持装置は、フォームストリップを含む、上記項目のいずれか１項に記載の縫合糸パッケージ。
【００２４】
（項目１５）
上記少なくとも１つの縫合糸保持装置は、フォームストリップを含む、上記項目のいずれか１項に記載の縫合糸パッケージ。
【００２５】
（項目１６）
上記外壁は、１つ以上のカバー部材と解放可能に係合する内側に面している複数のタブを含む、上記項目のいずれか１項に記載の縫合糸パッケージ。
【００２６】
（摘要）
１つ以上のかかりつき縫合糸を保持するように構成される縫合糸パッケージが提供される。縫合糸パッケージは、外壁を有し、縫合糸保持領域を含む、ベース部材と、少なくとも１つの縫合糸針を受容する、縫合糸保持領域に隣接して位置を決められる少なくとも１つの針保持装置と、少なくとも１つの縫合糸の遠位端を受容する、縫合糸保持領域に隣接して位置を決められる少なくとも１つの縫合糸保持装置と、縫合糸保持領域内に形成される複数の隆起部分であって、隆起部分の各々は、少なくとも１つの縫合糸の一部分を受容する溝を隆起部分に含む、複数の隆起部分とを含む。
【００２７】
本明細書に組み込まれ、本明細書の一部を構成する添付の図面は、本開示の実施形態を例示し、上記の開示の全般的な説明と共に、下記の実施形態の詳細な説明は、本開示の原理を説明するのに役立つ。
【図面の簡単な説明】
【００２８】
【図１】図１は、本開示の実施形態に従う、ベース部材と、カバー部材とを含む縫合糸パッケージの斜視図である。
【図２】図２は、図１の縫合糸パッケージのベース部材の上面図である。
【図３】図３は、図２のベース部材の側面図である。
【図４】図４は、かかりつき縫合糸を含む、図２および図３のベース部材の上面図である。
【図５】図５は、本開示の代替の実施形態に従う縫合糸パッケージの上面図である。
【図６】図６は、図５の縫合糸パッケージの側面図である。
【図７】図７は、図５および図６の縫合糸パッケージの側面断面図である。
【図８】図８は、図５〜図７の縫合糸パッケージの一部分の拡大断面図である。
【図９】図９は、本開示の別の実施形態に従う、ベース部材と、一対のカバー部材とを含む、縫合糸パッケージの斜視図である。
【図１０】図１０は、図９の縫合糸パッケージの側面図である。
【図１１】図１１は、図９および図１０の縫合糸パッケージの上面図である。
【図１２】図１２は、複数のかかりつき縫合糸を含む、図９〜図１１の縫合糸パッケージのベース部材の上面図である。
【図１３】図１３は、本開示のさらに別の実施形態に従う、縫合糸パッケージの斜視図である。
【図１４】図１４は、図１３の縫合糸パッケージの上面図である。
【図１５】図１５は、図１４の縫合糸パッケージの側面図である。
【図１６】図１６は、図１５の縫合糸パッケージの端面図である。
【発明を実施するための形態】
【００２９】
（詳細な説明）
以下の開示は、縫合糸パッケージの様々な実施形態を説明する。第１の端部にエンドエフェクタ２０と、反対の端部に針１５と、縫合糸の長さに沿って形成されるかかり１２とを有するかかりつき縫合糸１０（図４）に対して継続して参照がなされるが、本開示の局面がいくつかのタイプの針およびエンドエフェクタを含むすべての大きさおよび構成の縫合糸と共に使用するように修正され得ることが考察される。本開示は、本明細書に説明される縫合糸に限定されるべきではない。
【００３０】
図１〜図４を参照すると、本開示に従う縫合糸パッケージの第１の実施形態が、概して縫合糸パッケージ１００として示される。最初に図１を参照すると、縫合糸パッケージ１００は、１つ以上の縫合糸１０を受容するように構成されるベース部材１１０(図４）と、ベース部材１１０内の１つ以上の縫合糸１０を保持するカバー部材１５０とを含む。示されるように、ベース部材１１０は実質的に長方形の構成を含むが、正方形と、円形と、楕円形とを含む代替の構成が意図される。以下にさらに詳細に論議されるように、カバー部材１５０は、ベース部材１１０と実質的に類似した構成を含み、ベース部材１１０と選択可能に係合するように構成される。
【００３１】
ここで図２〜図４を参照すると、縫合糸パッケージ１００のベース部材１１０は、かかりつき縫合糸１０を受容するように構成される（図４）。ベース部材１１０は、プラスチック、ポリマーまたは任意の他の成形可能な材料から形成され得る。ベース１１０は、縫合糸保持領域１２０を画定する外壁１１２を含む。縫合糸保持領域１２０は、縫合糸保持領域に形成される複数の隆起部分１２２を含む。隆起部分１２２は、示されるように、ベース部材１１０と一体化して形成され得る。代替の実施形態において、隆起部分１２２は、縫合糸保持部分１２０内に確実に付着され得る。縫合糸保持部分１２０は、５個の隆起部分１２２を含むように示されているが、任意の数の隆起部分１２２を含み得る。隆起部分１２２は、任意の大きさまたは構成であり得る。かかりつき縫合糸１０は隆起部分１２２の周りに巻きつけられるので、より広い隆起部分１２２は、必要とするかかりつき縫合糸１０の湾曲がより少ない。隆起部分１２２は、かかりつき縫合糸１０のかかり１２が互いに係合することなく、かかりつき縫合糸１０が隆起部分の周りに巻きつけられ得る任意の構成で配置され得る。隆起部分１２２は、隆起部分１２２の外側に面している表面に形成される溝またはスロット１２４を含む。溝１２４は、溝１２４内にかかりつき縫合糸１０の一部分を受容するように構成される。示されるように、溝１２４は、隆起部分１２２の外側に面している表面の周りに延びるのみであるが、溝１２４が隆起部分１２２を部分的または完全に取り囲み得ることが考察される。隆起部分１２２の各々が２個以上のかかりつき縫合糸１０を受容する２個以上の溝１２４を含み得ることがさらに考察される。このようにして、複数のかかりつき縫合糸１０が縫合糸保持領域１２０内において互いに離れて受容され、維持され得る。溝１２４はまた、かかりつき縫合糸１０上のかかり１２がベース部材１１０およびカバー部材１５０との接触を最小限にするように、縫合糸保持領域１２０内にかかりつき縫合糸１０を支持するか、または吊るすように構成され得る。かかりつき縫合糸１０上に形成されるかかり１２が押しつけられることなくかかりつき縫合糸１０が保持される縫合糸保持領域１２０内に空間が作られるように、隆起部分１２２は、カバー部材１５０を支持するのに十分な高さがある。
【００３２】
図４を特に参照すると、ベース部材１１０の縫合糸保持領域１２０は、縫合糸針１５を選択可能に受容する針パーク１２０ａおよび第１のフォームパッド１２０ｂ（両方とも透視図で示される）のうちの少なくとも１つをさらに含む。縫合糸保持領域１２０はまた、かかりつき縫合糸１０の遠位端を選択可能に保持する、第２のフォームパッド１２０ｃ（これも透視図で示される）または他の縫合糸保持手段を含み得る。示されるように、第２のフォームパッド１２０ｃは、エンドエフェクタ２０を含む縫合糸１０の端部と選択可能に係合するように構成される。代替の実施形態において、縫合糸１０の縫合糸針１５および／またはエンドエフェクタ２０は、ベース部材１１０の縫合糸保持領域１２０によってゆるく受容され得る。縫合糸保持領域１２０は、装填装置が縫合糸保持領域１２０内にかかりつき縫合糸１０を装填するときに用いられる、装填装置（図示されていない）のアライメントピン（これも図示されていない）を選択可能に受容するように構成される開口またはスロット１２８をさらに含む。
【００３３】
図１〜図３に戻ると、ベース部材１１０の外壁１１２は、カバー部材１５０と解放可能に係合するように構成される、内側に延びる複数の山部（ｒｉｄｇｅ）１１４を含む。カバー部材１５０が外壁１１２内に受容されるとき、カバー部材１５０の外周が山部１１４と係合するように、山部１１４は、構成されかつ位置を決められる。ベース部材１１０の外壁１１２は、ベース部材１１０から外側に延びるタブ領域１１６をさらに含む。タブ領域１１６は、臨床医によるカバー部材１５０のタブ部分１５２の係合を可能にするバンプ１１６ａまたは隆起構成を含む。カバー部材１５０がベース部材１１０と選択可能に係合されるとき、バンプ１１６ａは、タブ領域１１６から離れて、間隔をあけてタブ部分１５２を維持する。
【００３４】
なおも図１を参照すると、カバー部材１５０はベース部材１１０に実質的に類似した形状を画定する。カバー部材１５０は、プラスチック、紙または任意の半剛性材料から形成され得る。カバー部材１５０は、ベース部材１１０の縫合糸保持領域１２０内に受容され、外壁１１２から内側に延びる山部１１４と選択可能に係合するように構成される。上記に論議されるように、カバー部材１５０は、ベース部材１１０の外壁１１２に形成されるタブ領域１１６に対応するタブ部分１５２を含む。カバー部材１５０のタブ部分１５２は、臨床医によって動作可能に係合し、ベース部材１１０からカバー部材１５０を分離することを可能にし、縫合糸保持領域１２０内に保持されるかかりつき縫合糸１０を露出させるように構成される。
【００３５】
縫合糸パッケージ１００の使用は、図１〜図４を参照してここで説明される。かかりつき縫合糸１０は、手動でまたは装填装置の使用によってベース部材１１０に装填され得る。上記に論議されるように、ベース部材１１０の縫合糸保持領域１２０は、装填装置（図示されていない）のアライメントピン（これも図示されていない）を受容するように構成される開口１２８を含む。装填装置が縫合糸パッケージ１００内にかかりつき縫合糸１０を装填するために用いられる場合、ベース部材１１０は最初に、装填装置のアライメントピンに開口１２８を整列させることによって装填装置に装填される。次に、かかりつき縫合糸１０の第１の端部は、かかりつき縫合糸１０の第１の端部がエンドエフェクタ２０かまたは縫合糸針１５を含むかどうかによって、針パーク１２０ａ、第１のフォームパッド１２０ｂまたは第２のフォームパッド１２０ｃのうちの１つ内に装填される。かかりつき縫合糸１０は次いで、かかりつき縫合糸１０が隆起部分１２２に形成される溝１２４内に受容されるように、隆起部分１２２の各々の周りに巻きつけられる。一旦かかりつき縫合糸１０が隆起部分１２２の周りに受容されると、かかりつき縫合糸１０の第２の端部は、針パーク１２０ａ、第１のフォームパッド１２０ｂおよび第２のフォームパッド１２０ｃのもう一方内に選択可能に受容される。
【００３６】
一旦かかりつき縫合糸１０が縫合糸保持領域１２０に確実に受容されると、カバー部材１５０は、ベース部材１１０のタブ領域１１６とカバー部材１５０のタブ部分１５２とが整列するように、縫合糸保持領域１２０内に位置を決められる。カバー部材１５０は次いで、カバー部材１５０の周囲を外壁１１２から内側に延びる山部１１４と係合させることによって、ベース部材１１０に選択可能に固定される。ベース部材１１０のタブ領域１１６上に形成されるバンプ１１６ａは、外壁１１２から間隔をあけて置かれるタブ部分１５２を維持し、縫合糸１０へのアクセスが必要であるとき臨床医による係合を容易にする。かかりつき縫合糸１０は、その装填とは逆の方法で縫合糸パッケージ１００から取り外され得る。縫合糸パッケージ１００は、密閉されるか、または出荷および取り扱いのために包装され得る。
【００３７】
ここで図５〜図８に移ると、本開示に従う、縫合糸パッケージの代替の実施形態が、全体的に縫合糸パッケージ２００として示される。縫合糸パッケージ２００は、実質的に縫合糸パッケージ１００に類似している。縫合糸パッケージ２００は、ベース部材２１０とカバー部材２５０とを含む。ベース部材２１０は、縫合糸保持領域２２０を画定する外壁２１２を含む。縫合糸保持領域２２０は、かかりつき縫合糸１０を選択可能に保持するように構成される複数の隆起部分２２２を含む（図４）。カバー部材２５０は、硬質プラスチックから構成され、カバーの下にある中身が見えるように透明であり得る。カバー部材２５０は、外壁２１２の第１の長さ２１２ａにヒンジで取り付けられる。カバー部材２５０は、第１の長さ２１２ａに沿ってかつ縫合糸保持領域２２０の上に折り畳まれ、縫合糸保持領域２２０内にかかりつき縫合糸１０を選択可能に保持するように構成される。一実施形態において、カバー部材２５０は、隆起部分２２２と接触し、隆起部分２２２とのかかりつき縫合糸１０の係合が外れるのを防ぐが、しかしながら、代替の実施形態において、カバー部材２５０は、隆起部分２２２に接触しない場合がある。カバー部材２５０の外周２５２は、外壁２１２と選択可能に係合するように構成される。一実施形態において、外周２５２は、スナップフィット（ｓｎａｐ−ｆｉｔ）方法で外壁２１２と係合する（図５）。外周２５２は、示されるようにカバー部材２５０の周り全部に延び得るか、または外周２５２は、カバー部材２５０の周りの一部分のみに延び得る。かかりつき縫合糸１０は、かかりつき縫合糸１０が縫合糸パッケージ１００に装填されそして縫合糸パッケージ１００から外される方法と実質的に同じ方法で、縫合糸パッケージ２００に装填されそして縫合糸パッケージ２００から外される。
【００３８】
ここで図９〜図１２を参照すると、本開示に従う、縫合糸パッケージの別の実施形態が、全体的に縫合糸パッケージ３００として示される。縫合糸パッケージ３００は、本明細書において上記に説明される縫合糸パッケージ１００、２００に実質的に類似している。縫合糸パッケージ３００は、複数の縫合糸１０ａ〜ｃを受容するように構成される細長いベース部材３１０を含む（図１２）。ベース部材３１０の長さは、縫合糸１０ａ〜ｃの長さを決定する。縫合糸１０ａ〜ｃは、任意の大きさまたは構成であり得、互いに同一であるかまたは異なり得る。ベース部材３１０は、縫合糸保持領域３２０を画定する外壁３１２を含む。複数の隆起部分３２２は、縫合糸保持領域３２０に形成され、隆起部分の回りの複数のかかりつき縫合糸１０と選択可能に係合するように構成される。隆起部分３２２の各対は、縫合糸のかかり１２ａが互いにまたは隣接する縫合糸１０ｂのかかり１２ｂと係合することなく、縫合糸１０ａが隆起部分の周りに巻きつけられ得るように、長手方向に間隔をあけて配置され、互に横にずれている。示されるように、ベース部材３１０は３個のかかりつき縫合糸１０ａ〜ｃを受容するように構成される３対の隆起部分３２２を含むが、ベース部材３１０は、任意の数（ｎ）のかかりつき縫合糸１０を受容するように任意の数（ｎ）の対の隆起部分３２２を有するように構成され得る。針保持フォームストリップ３２０ａは、縫合糸１０ａ〜ｃの針１５ａ〜ｃを受容するように構成される。複数のフォームパッド３２０ｃは、エンドエフェクタ２０ａ〜ｃを含むそれぞれの縫合糸１０ａ〜ｃの端部と係合するように構成される。複数の山部３１４は、本明細書における上記の縫合糸パッケージ１００のベース部材１１０の外壁１１２に説明される山部１１４と類似した方法で、外壁３１２から内側に延びる。山部３１４は、カバー部材３５０ａ、３５０ｂと選択可能に係合するように構成される。
【００３９】
特に図９および図１１を参照すると、カバー部材３５０ａ、３５０ｂは、プラスチック、紙または任意の半剛性材料から形成され得る。カバー部材３５０ａ、３５０ｂは、ベース部材３１０の縫合糸保持領域３２０内に受容され、外壁３１２から内側に延びる山部３１４と選択可能に係合するように構成される。カバー部材３５０ａ、３５０ｂは、縫合糸保持領域３２０内に縫合糸１０ａ〜ｃを選択可能に保持する。一旦縫合糸１０ａ〜ｃが縫合糸保持領域３２０内に確実に受容されると、縫合糸パッケージ３００は任意の公知の方法で密閉され得る。
【００４０】
ここで図１３〜図１６を参照すると、本開示に従う、縫合糸パッケージのさらに別の実施形態が、全体的に縫合糸パッケージ４００として示される。縫合糸パッケージ４００は、本明細書において上記に説明される縫合糸パッケージ３００と実質的に同一である。縫合糸パッケージ４００は、複数の縫合糸を選択可能に保持するように構成される細長いベース部材４１０を含む（図１２）。ベース部材４１０は、縫合糸保持領域４２０を画定する外壁４１２を含む。縫合糸保持領域４２０は、複数の対の隆起部分４２２を含む。縫合糸保持領域４２０は、隆起部分４２２と整列して縫合糸保持領域４２０に形成される参照文字４２３をさらに含み、該参照文字は、隆起部分２２２の対の各々に保持される縫合糸のタイプを臨床医が識別するために用いられ得る。縫合糸パッケージ４００は、本明細書において上記に説明される縫合糸パッケージ１００、２００、３００の各々と実質的に同じ方法で装填される。
【００４１】
本開示の例示的実施形態が添付の図面を参照して本明細書に説明されたが、開示がそれらの正確な実施形態に限定されないこと、および本開示の範囲または精神から逸脱することなく、本開示に関して様々な他の変更および修正が当業者によって達成され得ることは理解されるべきである。
【符号の説明】
【００４２】
１０  かかりつき縫合糸
１２  かかり
１５  針
２０  エンドエフェクタ
１００  縫合糸パッケージ
１１０  ベース部材
１１２  外壁
１１４  山部
１１６  タブ領域
１２０  縫合糸保持領域
１２２  隆起部分
１２４  溝またはスロット
１２８  開口
１５０  カバー部材
【図１】
2010131397.tif 000003
【図２】
2010131397.tif 000004
【図３】
2010131397.tif 000005
【図４】
2010131397.tif 000006
【図５】
2010131397.tif 000007
【図６】
2010131397.tif 000008
【図７】
2010131397.tif 000009
【図８】
2010131397.tif 000010
【図９】
2010131397.tif 000011
【図１０】
2010131397.tif 000012
【図１１】
2010131397.tif 000013
【図１２】
2010131397.tif 000014
【図１３】
2010131397.tif 000015
【図１４】
2010131397.tif 000016
【図１５】
2010131397.tif 000017
【図１６】
2010131397.tif 000018